(57)【要約】【課題】書籍又はファイルバインダ等において、文字、図画等の視認対象物が表示された複数の紙の間に挿まれるしおりを備え、表示するべきページを容易かつ効率的に検出することが可能な書籍、ファイルバインダ、しおり及びしおりセットを提供すること。【解決手段】文字、図画等の視認対象物が表示された複数の紙が積層され、ひとつの辺で綴じられた書籍本体２と、しおり３とを備えた書籍１であって、前記しおり３は、基端側が、前記書籍本体の前記視認対象物を基準として下側２Ａの小口近傍に固定され、前記下側２Ｂの小口から上側２Ａの小口の外方まで延在可能とされる紐状体３Ａと、前記紐状体３Ａの先端側に設けられる表示体３Ｂとを備えることを特徴とする。【選択図】図１
0003151530.tif 000002
【実用新案登録請求の範囲】
【請求項１】
文字、図画等の視認対象物が表示された複数の紙が積層され、ひとつの辺で綴じられた書籍本体と、しおりと、を備えた書籍であって、
前記しおりは、
基端側が、前記書籍本体の前記視認対象物を基準として下側の小口近傍に固定され、前記下側の小口から上側の小口の外方まで延在可能とされる紐状体と、前記紐状体の先端側に設けられる表示体とを、備えることを特徴とする書籍。
【請求項２】
背表紙と、表表紙と、裏表紙と、綴り具と、を備え、
前記綴り具に、文字、図画等の視認対象物が表示された書類を綴じるファイルバインダであって、
しおりを備え、
前記しおりは、
前記基端部が、前記書類の前記視認対象物を基準として下側の小口予定部近傍に固定され、前記下側の小口から上側の小口の外方まで延在可能とされる紐状体と、前記紐状体の先端側に設けられる表示体と、を備えることを特徴とするファイルバインダ。
【請求項３】
書籍又はファイルバインダに取付けて用いるしおりであって、
固定部材と、
紐状体と、
表示体と、を備え、
前記固定部材は、前記紐状体の基端部に形成され、前記視認対象物を基準とした場合に前記書籍又はファイルバインダの下端の小口近傍に接続可能とされ、
前記紐状体は、前記ファイルバインダ又は書籍の上下方向長さより長く形成され、
前記表示体は、前記紐状体の先端側に設けられていることを特徴とするしおり。
【請求項４】
請求項３に記載のしおりを備えることを特徴とするしおりセット。
【考案の詳細な説明】
【技術分野】
【０００１】
この考案は、積層された複数の紙間に挿まれるしおりを備えた書籍、ファイルバインダ、及びかかる書籍、ファイルバインダを構成するために取付けるしおり及びこのしおりを備えたしおりセットに関するものである。
【背景技術】
【０００２】
従来、文字、図画等の視認対象物が表示された紙を積層して構成された書籍本体の上側の小口の近傍に基端側が取り付けられ、紙と紙の間に挿まれて上側の小口から下側の小口を通って書籍本体の下側に伸びる紐状体を、検出するべきページの見出しとするしおりが一般的に普及している（例えば、特許文献１参照。）。
【先行技術文献】
【特許文献】
【０００３】
【特許文献１】特開２０００−０７１６４５号公報
【考案の概要】
【考案が解決しようとする課題】
【０００４】
しかしながら、しおりは、上記特許文献１のように先端部に装飾小物が接続されていると、装飾小物が、本を安定して立てる際の障害となり、又本を読む際の邪魔となる場合がある。
一方、先端部に装飾小物等が接続されていないしおりでは、先端部が紙と紙の間に紛れ込むとしおりを探し出すのに手間がかかり、また、紙と紙の間に紛れ込んだしおりを探し出す際にしおりが紙の間から抜け出すと、検出するべきページが不明になるという問題があった。
【０００５】
本考案は、かかる事情を考慮してなされたものであり、書籍又はファイルバインダ等において、文字、図画等の視認対象物が表示された複数の紙の間に挿まれるしおりを備え、表示するべきページを容易かつ効率的に検出することが可能な書籍、ファイルバインダ、しおり及びしおりセットを提供することを目的とする。
【課題を解決するための手段】
【０００６】
上記課題を解決するために、この考案は以下の手段を提案している。
請求項１に記載された考案は、文字、図画等の視認対象物が表示された複数の紙が積層され、ひとつの辺で綴じられた書籍本体と、しおりと、を備えた書籍であって、前記しおりは、基端側が、前記書籍本体の前記視認対象物を基準として下側の小口近傍に固定され、前記下側の小口から上側の小口の外方まで延在可能とされる紐状体と、前記紐状体の先端側に設けられる表示体とを備えることを特徴とする。
【０００７】
請求項２に記載された考案は、背表紙と、表表紙と、裏表紙と、綴り具とを備え、前記綴り具に、文字、図画等の視認対象物が表示された書類を綴じるファイルバインダであって、しおりを備え、前記しおりは、前記基端部が、前記書類の前記視認対象物を基準として下側の小口予定部近傍に固定され、前記下側の小口から上側の小口の外方まで延在可能とされる紐状体と、前記紐状体の先端側に設けられる表示体と、を備えることを特徴とする。
【０００８】
この考案に係る書籍、ファイルバインダによれば、しおりの紐状体が紙間に紛れ込むことが抑制される。その結果、開きたいページを容易かつ効率的に検出することができる。
また、紐状体を下側の小口から紙と紙の間に挿んで上側の小口から外方に出し、表示体を背表紙の外側に配置することにより、書籍又はファイルバインダを立てて置く場合に、しおりの表示体が邪魔になるのを抑制することができる。
【０００９】
また、紐状体を下側の小口から紙と紙の間に挿んで上側の小口に出し、表示体を背表紙の外側に配置することにより、書籍又はファイルバインダを開いて手に持つ場合に、しおりの表示体が手元に垂れて邪魔になるのを抑制することができる。
また、表示体を書籍又はファイルバインダの背表紙の表側に位置させて表示体により識別可能とすることで、書籍又はファイルバインダを容易かつ効率的に探すことができる。
【００１０】
請求項３に記載された考案は、書籍又はファイルバインダに取付けて用いるしおりであって、固定部材と、紐状体と、表示体とを備え、前記固定部材は、前記紐状体の基端部に形成され、前記視認対象物を基準とした場合に前記書籍又はファイルバインダの下端の小口近傍に接続可能とされ、前記紐状体は、前記ファイルバインダ又は書籍の上下方向長さより長く形成され、前記表示体は、前記紐状体の先端側に設けられていることを特徴とする。
【００１１】
請求項４に記載の考案は、しおりセットであって、請求項３に記載のしおりを備えることを特徴とする。
【００１２】
この考案に係るしおり、しおりセットによれば、紐状体の基端部に形成された固定部材を有し、固定部材を書籍又はファイルバインダの下端の小口近傍に接続することにより、下側の小口から上側の小口の外方まで紐状体を挿んで紐状体の先端側に設けられた表示体が上側の小口から露出可能とすることで、しおりを容易に書籍又はファイルバインダに取付けることができる。
【考案の効果】
【００１３】
この考案に係る書籍、ファイルバインダによれば、しおりの紐状体が紙間に紛れ込むことが抑制されるので、開きたいページを容易かつ効率的に検出することができる。
また、この考案にかかるしおり、しおりセットによれば、書籍又はファイルバインダに容易に取付けることができる。
また、かかる書籍、ファイルバインダによれば、表示体を背表紙の表側に配置することで、書籍又はファイルバインダを立てて置く場合や開いて手に持つ場合に、しおりの表示体が邪魔になることがない。
また、表示体を背表紙側に位置させた場合に、表示体により書籍又はファイルバインダを容易、かつ効率的に識別することができる。
【図面の簡単な説明】
【００１４】
【図１】本考案の第１の実施形態に係る書籍の書籍本体を開いた状態を示す斜視図である。
【図２】第１の実施形態に係る書籍を立て、表示体を背表紙の表側に配置させた状態を示す斜視図である。
【図３】本考案の第２の実施形態に係るファイルバインダを開いた状態を示す斜視図である。
【図４】第２の実施形態に係るファイルバインダを立て、表示体を背表紙の表側に配置させた状態を示す斜視図である。
【図５】本考案の第３の実施形態に係るしおりを示す斜視図である。
【図６】本考案の第３の実施形態に係るしおりを適用した書籍の書籍本体を開いた状態を示す斜視図である。
【図７】本考案の第３の実施形態に係るしおりを適用した書籍を立て、表示体を背表紙の表側に配置させた状態を示す斜視図である。
【図８】本考案の第４の実施形態に係るしおりセットを示す斜視図である。
【考案を実施するための形態】
【００１５】
以下、図１、図２を参照し、この考案の第１の実施形態に係る書籍１について説明する。
書籍１は、書籍本体２と、しおり３と、外装体４とを備え、しおり３は基端側が書籍本体２の下側２Ｂの小口近傍の、例えば、書籍本体２と外装体４の間に固定され、書籍本体２の紙と紙の間に挿むことが可能とされ、書籍本体２の下側２Ｂの小口から上側２Ａの小口まで紐状体を延在させて上側２Ａの小口からその一部を露出させることができるようになっている。
【００１６】
書籍本体２は、文字、図画等の情報等（視認対象物）が表示された複数の紙を積層して、一方（開く側と反対側）の辺の端部（背）を、例えば、樹脂製糊等の接着剤によって綴じ、書籍本体２の背は外装体４の背表紙４Ａの内側に接着剤等により接続されている。
【００１７】
しおり３は、紐状体３Ａと、表示体３Ｂと、固定部３Ｃとを備え、紐状体３Ａは、例えば、短冊状に成形した細長い布等の繊維で構成されている。
表示体３Ｂは、例えば、円形、多角形、ハート形、キャラクタ等の外縁に沿って成形したプラスチック等の成形体に、識別マーク、識別色、キャラクタ等の表示対象を表示して構成されている。
【００１８】
固定部３Ｃは、例えば、金具、プラスチック片、紐状体３Ａの基端側が接着剤により固化されることで形成され、例えば、書籍本体２と外装体４の間に配置されるようになっている。
なお、加工していない状態の紐状体３Ａの一端を固定部３Ｃとしてもよい。
また、固定部３Ｃが紐状体３Ａの基端側に設けられた粘着シールにより構成されてもよい。
外装体４は、背表紙４Ａと、表表紙４Ｂと、裏表紙４Ｃとを備え、書籍本体２の背が背表紙４Ａの内側に接続されている。
【００１９】
書籍１によれば、しおり３が表示体３Ｂを有しているので、しおり３の紐状体３Ａが書籍本体２の紙と紙の間に紛れ込むことが抑制され、その結果、開きたいページを容易かつ効率的に検出することができる。
また、書籍１を本棚等に立てて置く場合に、図２に示すように紐状体３Ａを紙と紙の間に挿んで表示体３Ｂを背表紙４Ａの表側に位置させることでしおり３の表示体３Ｂが書籍１の下側２Ｂに位置して下敷きとなることが防止され、書籍１を安定して置くことができる。
【００２０】
また、図１に示すようにして書籍１を開いて手に持つ場合に、下側２Ｂの小口から上側２Ａの小口に向かって紙と紙の間に紐状体３Ａを挿むとともに表示体３Ｂを背表紙４Ａの表側に位置させることで表示体３Ｂが手元側に垂れることが抑制される。
また、書籍１を、表示体３Ｂを背表紙４Ａの表側に位置させることにより、書籍１の識別を容易にし、書籍１を効率的に探すことができる。
【００２１】
次に、図３、図４を参照して、この考案の第２の実施形態に係るファイルバインダ１０について説明する。
ファイルバインダ１０は、しおり１３と、外装体１４と、綴り具１５とを備え、外装体１４は、背表紙１４Ａと、表表紙１４Ｂと、裏表紙１４Ｃとを有している。
しおり１３は、基端側が、ファイルバインダ１０に綴じた書類間に挿んだ状態で、書類の下側１２Ｂの小口から上側１２Ａの小口まで紐状体１３Ａが延在し、上側１２Ａの小口からその一部が露出するようになっている。
【００２２】
書類は、文字、図画等の情報等（視認対象物）が表示された紙からなり、一方（開く側と反対側）の辺の端部（背）近傍に綴り具１５に対応する孔が形成され、綴り具１５によって綴じられるようになっている。
【００２３】
しおり１３は、紐状体１３Ａと、表示体１３Ｂと、固定部１３Ｃとを備え、紐状体１３Ａは、例えば、短冊状に成形した細長い布等の繊維で構成されている。
表示体１３Ｂは、例えば、円形、多角形、ハート形、キャラクタ等の外縁に沿って成形したプラスチック等の成形体に、識別マーク、識別色、キャラクタ等の表示対象を表示して構成されている。
【００２４】
固定部１３Ｃは、例えば、金具、プラスチック片、紐状体１３Ａの基端側が接着剤により固化されることで形成され、例えば、ファイルバインダ１０に書類を綴じた場合に、書類の下側１２Ｂの小口近傍において外装体１４に固定されている。
なお、加工していない状態の紐状体１３Ａの一端を固定部１３Ｃとしてもよい。
また、固定部１３Ｃが紐状体１３Ａの基端側に設けられた粘着シールにより構成されてもよい。
【００２５】
綴り具１５は、例えば、背表紙４Ａの内側に固定される固定部と、その両側に設けられ互いに対向可能とされたヒンジとを備え、一方のヒンジに書類に形成された孔を貫通し他方側のヒンジに形成された係合部と係合して書類を綴じるための２本のピンが形成された構成とされている。
【００２６】
ファイルバインダ１０によれば、しおり１３が表示体１３Ｂを有しているので、しおり３の紐状体１３Ａが書類の間に紛れ込むことが抑制され、その結果、開きたいページを容易かつ効率的に検出することができる。
また、ファイルバインダ１０を本棚等に立てて置く場合に、図４に示すように紐状体１３Ａを書類間に挿んで背表紙１４Ａの表側に表示体１３Ｂを位置させることでしおり１３の表示体１３Ｂがファイルバインダ１０の下側１２Ｂに位置して下敷きとなることが防止され、ファイルバインダ１０を安定して置くことができる。
【００２７】
また、図３に示すようにしてファイルバインダ１０を開いて手に持つ場合に、下側１２Ｂの小口から上側１２Ａの小口に向かって書類間に紐状体１３Ａを挿むとともに表示体１３Ｂを背表紙１４Ａの表側に位置させることで表示体１３Ｂが手元側に垂れることが抑制される。
また、ファイルバインダ１０を、表示体１３Ｂを背表紙１４Ａの表側に位置させることにより、ファイルバインダ１０の識別を容易にし、ファイルバインダ１０を効率的に探すことができる。
【００２８】
次に、図５、図６、図７を参照して、この考案の第３の実施形態に係るしおり２５について説明する。
しおり２５は、図６、７に示すような書籍１を構成するために取付けるしおりであって、紐状体２６と、表示体２７と、固定部材２９とを備えている。
【００２９】
紐状体２６は、例えば、繊維を細長い短冊状に成形した形態をしており、しおり２５を取付ける対象の書籍本体の上下方向長さより長く形成され、綴じられた書類１又は書籍本体２の下側の小口から上側の小口まで延在可能とされている。
【００３０】
表示体２７は、例えば、図５に示すような動物等のキャラクタ２８を形取ったものや、例えば、円形、多角形、ハート形等に形成したプラスチック等の成形体に、識別マーク、識別色、キャラクタ２８等の表示対象を表示した構成とされている。
【００３１】
固定部材２９は、紐状体２６の基端部に接続される、例えば、粘着シート２９Ａと剥離紙２９Ｂとから構成され、粘着シート２９Ａから剥離紙２９Ｂを分離して、図６、図７に示すように裏表紙４Ｃ（又は表表紙４Ｂ）の内側面に粘着シート２９Ａを貼着して用いるようになっている。このように、しおり２５を粘着シート２９Ａによって貼着することで、書籍１の視認対象物を基準とした場合の小口近傍に容易に固定することができるようになっている。
なお、このしおり２５を、例えば、図３、４に示すようなファイルバインダの背表紙１４Ａ、表表紙１４Ｂ、裏表紙１４Ｃのいずれかの内側に貼着して用いてもよい。
【００３２】
なお、粘着シート２９Ａと剥離紙２９Ｂとから構成される固定部材２９に代えて、書籍１の下側の小口近傍又はバインダの下側小口予定部と接続可能とされる周知の固定金具等を用いてもよいし、固定部材２９が粘着シート２９Ａを用いている場合に、紐状体２６と、固定部材２９とを別々にしてもよい。
【００３３】
しおり２５によれば、基端側の固定部材２９を書籍１の下側の小口近傍又はバインダの下側小口予定部に容易に固定して書籍１又はファイルバインダをしおり付きの書籍１又はファイルバインダとすることができる。
【００３４】
次に、この考案の第４の実施形態に係るしおりセットについて説明する。図８に示したのは、しおりセット２０を示す図である。
しおりセット２０は、しおり２５を、例えば、ポリ袋２１等に封入して構成され、例えば、固定部材２９と紐状体２６とが接続されていない別々の状態の場合でも、しおり２５を一体に流通可能とされている。
しおりセット２０によれば、例えば、雑誌の付録として効率的に流通させることが可能となり、このような場合にしおりの一部が損傷又は紛失するのを抑制することができる。
【００３５】
なお、この発明は上記実施の形態に限定されるものではなく、発明の趣旨を逸脱しない範囲において、種々の変更をすることができる。
例えば、上記実施の形態においては、ファイルバインダ１０が、２本のピンが配置された綴り具１５を備える場合について説明したが、他の周知の綴り具を用いてもよいことはいうまでもない。
【産業上の利用可能性】
【００３６】
本考案は、書籍又はファイルバインダに綴られた積層された紙のうち表示させたいページを効率的に検出することができるので、産業上利用可のである。
【符号の説明】
【００３７】
１  書籍、２  書籍本体、３  しおり、３Ａ  紐状体、３Ｂ  表示体、３Ｃ  固定部、４  外装体、４Ａ  背表紙、４Ｂ  表表紙、４Ｃ  裏表紙、１０  ファイルバインダ、１３  しおり、１３Ａ  紐状体、１３Ｂ  表示体、１４  外装体、１４Ａ  背表紙、１４Ｂ  表表紙、１４Ｃ  裏表紙、１５  綴り具、２０  しおりセット、２５  しおり、２６  紐状体、２７  表示体、２９  固定部材
【図１】
0003151530.tif 000003
【図２】
0003151530.tif 000004
【図３】
0003151530.tif 000005
【図４】
0003151530.tif 000006
【図５】
0003151530.tif 000007
【図６】
0003151530.tif 000008
【図７】
0003151530.tif 000009
【図８】
0003151530.tif 000010